(57)【特許請求の範囲】
【請求項１】
木造建築の基礎に免震装置を配設する免震装置の戴設台において、下部の枠体であって、帯状の板材を平にして正方形の平枠を形成し、該平枠の四隅の対角線に帯状の板材を平にして十字形の平板体を形成して下部の枠体を構成し、該下部の枠体の四隅に先端が屈折した屈折部分を対角線の内側に向けてアンカーボルトを垂直に立設し、該各アンカーボルトの下部の屈折した先端から対向する他のアンカーボルトの屈折した先端との間に、前記下部の枠体の十字形の平板体の長手方向の中心に他の帯状の板材を縦にして十字形の縦板体を形成して設け、前記下部の枠体の平枠の各辺の中心に平枠に直交して刻線を設け、前記下部の枠体の平枠の四隅に立設したアンカーボルトの近傍に複数の蝶ネジを設けたことを特徴とする免震装置の戴設台。
【請求項２】
木造建築の基礎に免震装置を配設する免震装置の戴設台において、上部の枠体であって、帯状の板材を縦にして正方形の縦の枠を形成し、該縦の枠の下部の四隅の対角線に帯状の板材を平にして十字形の平板体を形成して上部の枠体を構成し、前記十字形の平板体の長手方向の中心に他の板材を縦にして十字形の縦の板体を形成し、該十字形の縦の板体の各先端を隅部分から離して設け、前記上部の枠体の十字形の平板体の各隅の部分の中心にボルト挿通孔を設け、該ボルト挿通孔の近傍に複数の蝶ネジを設け、前記上部の枠体の縦の枠の各面の外側の中心に縦の枠に直交して刻線を設けたことを特徴とする免震装置の戴設台。
【請求項３】
木造建築の基礎に免震装置を配設する免震装置の戴設台の取付方法において、前記下部の枠体であって、基礎コンクリートの築造で、基礎の全面に均しコンクリートを打設した後、該均しコンクリートの上面に複数の通り芯墨を縦方向に線引きし、該通り芯墨に直交して横方向に複数の通り芯墨を線引きし、該通り芯墨の縦の線及び横の線の内側に双方の通り芯墨に平行して枠体の芯墨を縦の方向及び横の方向に線引きし、前記複数の下部の枠体の平枠の各辺に設けた刻線を双方の前記枠体の芯墨に合わせて下部の枠体を配置して位置を確定し、前記下部の枠体の十字形の縦板体の上端に水準器を交互に載せ、前記下部の枠体の四隅に設けた前記複数の蝶ネジを回して下部の枠体を上げ下げし、下部の枠体の前後左右の高さを調節して水平度を確認して高さを確定し、該下部の枠体の内側及び外側にモルタルを詰めて固定することを特徴とする請求項1に記載の免震装置の戴設台の取付方法。
【請求項４】
木造建築の基礎に免震装置を配設する免震装置の戴設台の取付方法において、前記上部の枠体であって、前記基礎コンクリートの築造で、前記均しコンクリートの上面の所定の高さにベタ基礎コンクリートを打設して下部の枠体をベタ基礎コンクリートの中に埋め込んだ後、前記ベタ基礎コンクリートの上面に複数の通り芯墨を縦方向に線引きし、該通り芯墨に直交して横方向に複数の通り芯墨を線引きし、該通り芯墨の縦の線及び横の線の内側に双方の通り芯墨に平行して前記上部の枠体の芯墨を縦の方向及び横の方向に線引きし、前記複数の上部の枠体をベタ基礎コンクリートの上面に配置し、前記下部の枠体の複数のアンカーボルトが突出している先端に前記上部の枠体の複数のボルト挿通孔を挿嵌し、上部の枠体の十字形の縦板体の上端に水準器を交互に載せて複数の前記蝶ネジを回して上部の枠体を上げ下げし、上部の枠体の前後左右の高さを調節して水平度を確認して高さを確定し、前記双方の枠体の芯墨に上部の枠体の各刻線を合わせて上部の枠体の位置を設定し、前記上部の枠体の内側に複数のラッパ口付配水管を設け、前記上部の枠体の内側及び外側に無収縮モルタルを詰め、前記上部の枠体の内側は周囲の縦の枠の高さに合わせて無収縮モルタルを塗り込んで水平に均し、後に前記上部の枠体の上部に免震装置を載設し、前記免震装置の下部プレートに設けた複数のボルト挿通孔に、前記アンカーボルトの先端を挿嵌して二重ナットの締結手段で締結して戴設したことを特徴とする請求項2に記載の免震装置の戴設台の取付方法。
【請求項５】
前記上部の枠体の内側に複数のラッパ口付排水管を有する上部の枠体の上部に前記免震装置を戴設し、該免震装置の下部プレートに有する複数の排水孔と、前記上部の枠体のラッパ口付配水管を重ねて床下浸水時に免震装置内に溜まった水を外部に排水することができることを特徴とする請求項4に記載の免震装置の載設台の取付方法。
【発明の詳細な説明】
【技術分野】
【０００１】
本発明は、木造建築の免震装置の戴設台及び免震装置の戴設台の取付方法に関するものである。
【背景技術】
【０００２】
木造建築の基礎に配置する交換手段を有する転がり免震装置（例えば、特許文献1参照）が開発されているが、この免震装置の戴設方法には免震装置の水平度と位置の正確度と地震の震動に耐える堅固なことが要求される。
【０００３】
【特許文献１】特開2002-30829号公報（第6頁、第1図）（特許第3622902号）
【発明の開示】
【発明が解決しようとする課題】
【０００４】
本発明は、上記免震装置の戴設方法で、木造建築のベタ基礎コンクリートの築造で、基礎の全面に均しコンクリートを打設した後、均しコンクリートの上面に下部の枠体で、正方形の枠体の四隅にアンカーボルトを立設して枠体を通り芯に合わせて水平に設置し、均しコンクリートの上面にベタ基礎コンクリートを打設した後、ベタ基礎コンクリートの上面に下部の枠体のアンカーボルトが突出した先端に上部の枠体のボルト挿通孔を挿嵌し、上部の枠体を通り芯に合わせて水平に設置し、さらに上部の枠体の上部に免震装置を載置し、免震装置の下部プレートのボルト挿通孔に下部の枠体から延長して突出しているボルトを挿嵌し、二重ナットの締結手段で締結し、手間をかけず、しかも確実に手際よく施工が実現することを目的とするものである。
【課題を解決するための手段】
【０００５】
上記目的を達成するために、この発明は、木造建築の基礎に免震装置を配設する免震装置の戴設台において、下部の枠体であって、帯状の板材を平にして正方形の平枠を形成し、該平枠の対角線に帯状の板材を平にして十字形の平板体を形成して下部の枠体を構成し、該下部の枠体の四隅に先端が屈折した屈折部分を対角線の内側に向けてアンカーボルトを垂直に立設し、該各アンカーボルトの下部の屈折した先端から対角線に対向する他のアンカーボルトの屈折した先端との間に、前記下部の枠体の十字形の平板体の長手方向の中心に他の帯状の板材を縦にして十字形の縦板体を形成して設け、前記下部の枠体の平枠の各辺の中心に平枠に直交して刻線を設け、前記下部の枠体の平枠の四隅に立設したアンカーボルトの近傍に複数の蝶ネジを設けたことで、前記下部の枠体の正確な位置と水平度を確定することができる。
【０００６】
また、木造建築の基礎に免震装置を配設する免震装置の戴設台において、上部の枠体であって、帯状の板材を縦にして正方形の縦の枠を形成し、該縦の枠の下部の四隅の対角線に帯状の板材を平にして十字形の平板体を形成して上部の枠体を構成し、前記十字形の平板体の長手方向の中心に他の板材を縦にして十字形の縦の板体を形成し、該十字形の縦の板体の各先端を隅部分から離して設け、前記上部の枠体の十字形の平板体の各隅の部分の中心にボルト挿通孔を設け、該ボルト挿通孔の近傍に複数の蝶ネジを設け、前記上部の枠体の縦の枠の各面の外側の中心に縦の枠に直交して刻線を設けたことで、前記上部の枠体の正確な位置と水平度を確定することができた。
【０００７】
さらに、木造建築の基礎に免震装置を配設する免震装置の戴設台の取付方法において、下部の枠体であって、基礎コンクリートの築造で、基礎の全面に均しコンクリートを打設した後、該均しコンクリートの上面に複数の通り芯墨を縦方向に線引きし、該通り芯墨に直交して横方向に複数の通り芯墨を線引きし、該通り芯墨の縦の線及び横の線の内側に双方の通り芯墨に平行して枠体の芯墨を縦の方向及び横の方向に線引きし、前記下部の枠体の平枠の各辺に設けた刻線を双方の前記枠体の芯墨に合わせて下部の枠体を配置して位置を確定し、前記下部の枠体の十字形の縦板体の上端に水準器を交互に載せ、前記下部の枠体の四隅に設けた前記複数の蝶ネジを回して下部の枠体を上げ下げし、下部の枠体の前後左右の高さを調節して水平度を確認して高さを確定し、該下部の枠体の内側及び外側にモルタルを詰めて固定することを特徴とする。
【０００８】
木造建築の基礎に免震装置を配設する免震装置の戴設台の取付方法において、前記上部の枠体であって、前記基礎コンクリートの築造で、前記均しコンクリートの上面の所定の高さにベタ基礎コンクリートを打設して下部の枠体をベタ基礎コンクリートの中に埋め込んだ後、前記ベタ基礎コンクリートの上面に複数の通り芯墨を縦方向に線引きし、該通り芯墨に直交して横方向に複数の通り芯墨を線引きし、該通り芯墨の縦の線及び横の線の内側に双方の通り芯墨に平行して前記枠体の芯墨を縦の方向及び横の方向に線引きし、前記複数の上部の枠体をベタ基礎コンクリートの上面に配置し、前記下部の枠体の複数のアンカーボルトが突出している先端に前記上部の枠体の複数のボルト挿通孔を挿嵌し、前記上部の枠体の十字形の縦板体の上端に水準器を交互に載せて複数の前記蝶ネジを回して上部の枠体を上げ下げし、上部の枠体の前後左右の高さを調節して水平度を確認して高さを確定し、前記双方の枠体の芯墨に上部の枠体の各刻線を合わせて上部の枠体の位置を設定し、前記上部の枠体の内側に複数のラッパ口付配水管を設け、前記上部の枠体の内側及び外側に無収縮モルタルを詰め、前記上部の枠体の内側は周囲の縦の枠の高さに合わせて無収縮モルタルを塗り込んで水平に均し、後に前記上部の枠体の上部に免震装置を載設し、前記免震装置の下部プレートに設けた複数のボルト挿通孔に、前記アンカーボルトの先端を挿嵌して二重ナットの締結手段で締結して戴設したことを特徴とする。
【０００９】
前記上部の枠体の内側に複数のラッパ口付排水管を有する上部の枠体の上部に前記免震装置を戴設し、該免震装置の下部プレートに有する複数の排水孔と、前記上部の枠体のラッパ口付配水管を重ねて床下浸水時に免震装置内に溜まった水を外部に排水するこで、前記上部の枠体の上部に免震装置が精度がよく戴設することができる。
【発明の効果】
【００１０】
以上説明したように、請求項1に記載の発明によれば、下部の枠体であって、正方形に形成した平枠の四隅にアンカーボルトを立設し、平枠の対角線に十字形の平板体を設け、該十字形の平板体の上面に十字形の縦板体を設け、該十字形の縦板体の上端に交互に水準器を載せて下部の枠体の前後左右の水平度を確認する機能を有し、同時に複数のアンカーボルトが垂直に設定されるので、ベタ基礎コンクリートの上面に突出したアンカーボルトの先端が正確に位置が設定でき、アンカーボルトの先端に上部の枠体のボルト挿通孔を挿通するのが極めて容易にできる下部の枠体の構成である。
【００１１】
請求項2に記載の発明によれば、上部の枠体であって、正方形に形成した縦の枠の対角線に十字形の平板体を設け、該十字形の平板体の平板の四隅にアンカーボルトの挿通孔を設け、十字形の平板体の上面に十字形の縦板体を設け、該十字形の縦板体の上端に交互に水準器を載せて上部の枠体の前後左右の水平度を確認する機能を有し、上部の枠体に免震装置を戴設して正確に固定するのが極めて容易な上部の枠体の構成である。
【００１２】
請求項3に記載の発明によれば、下部の枠体の取付方法であって、基礎コンクリートの築造で、基礎の全面に均しコンクリートを打設し、均しコンクリートの上面に縦横に建物の通り芯墨を線引きし、該縦横の通り芯墨に平行して通り芯墨の内側に枠体の芯墨を縦横に線引きし、枠体の芯墨に下部の枠体の中心（刻線）を合わせて設定し、下部の枠体の十字形の平板体の四隅に設けた蝶ネジを回し、十字形の縦の枠体の上端に水準器を介して下部の枠体の水平度を正確に確定し、下部の枠体の内外にモルタルを詰めて固定することで正確に取付することができる。
【００１３】
請求項4に記載の発明によれば、上部の枠体の取付方法であって、基礎コンクリートの築造で、均しコンクリートの上面にベタ基礎コンクリートを所定の高さに打設し、ベタ基礎コンクリートの上面に建物の通り芯墨を縦横に線引きし、縦横の通り芯墨に平行して枠体の芯墨を縦横に線引きし、枠体の芯墨に上部の枠体の中心（刻線）を合わせて設定し、上部の枠体の十字形の平板体の四隅に設けた蝶ネジを回し、十字形の縦板体の上端に水準器を介して上部の枠体の水平度を正確に確定し、上部の枠体の内側と外側に無収縮モルタルを塗り込み、内側は上部の枠体の周囲の縦の枠に合わせて水平に均して固定し、上部の枠体の上面に免震装置を戴設し、ベタ基礎コンクリートの上面に突出している複数のアンカーボルトの先端を免震装置の下部プレートに有するボルト挿通孔に挿通し、二重ナットで締結することが正確で容易に取付することができる。
【００１４】
請求項5に記載の発明によれば、上部の枠体に免震装置を戴設する免震装置の下部のプレートに有する複数の排水口に、上部の枠体の中に設けた複数のラッパ口付配水管を重ねて設け、床下浸水等で免震装置の中に溜まった水を外部に排出することができる。
【発明を実施するための最良の形態】
【００１５】
木造建築の基礎コンクリートの上面に免震装置を戴設するのに、ベタ基礎コンクリートの打設に伴ない、精度の高い戴設台に免震装置を戴設し、正確な位置と正確な水平度の設定を容易にし、しかも堅固に施工できる工法を実現した。
【実施例１】
【００１６】
図1は本発明の1実施例の斜視図であって、1は均しコンクリートの上面に配設した下部の枠体である、10はベタ基礎コンクリートの上面に配設した上部の枠体である。
【００１７】
図1では、1は下部の枠体を示している。帯状の板材を平にして正方形の平枠2を形成し、正方形の平枠2の対角線に帯状の板材を平にして十字形の平板体4を形成して下部の枠体1を構成し、この下部の枠体1の四隅に先端が屈折した屈折部分を対角線の内側に向けてアンカーボルト3を垂直に立設し、このアンカーボルト3の下部の屈折した先端から対角線に対向する他のアンカーボルト3の下部の屈折した先端との間に、下部の枠体1の十字形の平板体4の長手方向の中心に他の帯状の板材を縦にして十字形の縦板体5を形成して設ける。
【００１８】
そして、下部の枠体1の平枠2の各辺の中心に平枠2に直交して刻線6（下部の枠体1の中心）を設け、下部の枠体1の平枠2の四隅に立設したアンカーボルト3の近傍に複数の蝶ネジ2aを設ける、この蝶ネジ2aを回して下部の枠体を上げ下げして下部の枠体1の水平度を確定する。下部の枠体1はステンレス製又は鋼鉄製とし、鋼鉄製のものは亜鉛メッキを施すものである。
【００１９】
図1では、10は上部の枠体を示している。帯状の板材を縦にして正方形の縦の枠11を形成し、この正方形の縦の枠11の下部の四隅の対角線に帯状の板材を平にして十字形の平板体12を形成して上部の枠体10を構成し、十字形の平板体12の長手方向の中心に他の帯状の板材を縦にして十字形の縦の板体13を形成し、この十字形の縦の板体13の各先端を隅部分から離して設け、上部の枠体10の十字形の平板体12の各隅の部分の中心にボルト挿通孔15を設け、上部の枠体10の平板体の各隅の部分にボルト挿通孔15を設け、ボルト挿通孔15の近傍に複数の蝶ネジ16を設ける。この蝶ネジ16を回して上部の枠体10を上げ下げして上部の枠体10の水平度を確定する。上部の枠体10の縦の枠11の各面の外側の中心に縦の枠11に直交して刻線14（上部の枠体10の中心）を設けたものである、上部の枠体10はステンレス製又は鋼鉄製とし、鋼鉄製のものは亜鉛メッキを施すものである。
【００２０】
下部の枠体1の設置方法であって、基礎コンクリート24の築造で、基礎の全面に均しコンクリート19を打設した後、均しコンクリート19の上面に複数の通り芯墨20を線引きし、この通り芯墨20の内側に通り芯墨20に平行して枠体の芯墨8を線引きし、該通り芯墨20の直角方向にも他の複数の通り芯墨20を線引きし、該通り芯墨20の内側に通り芯墨20に平行して枠体の芯墨8を線引する。
【００２１】
そして、双方の枠体の芯墨8に下部の枠体1の平枠2の各辺に設けた刻線6（下部の枠体の中心）を合わせて下部の枠体1を配置し、下部の枠体1の十字形の縦板体5の上端に水準器を交互に載せ、下部の枠体1の四隅に設けた蝶ネジ2aを回して下部の枠体1の前後左右の高さの調節をして水平度を確認して上下方向の所定の高さを確定し、下部の枠体1の内側及び外側にモルタルを詰めて固定するものである。
【００２２】
上部の枠体10の設置方法であって、均しコンクリート19の上面に所定の高さにベタ基礎コンクリート18を打設して下部の枠体1をベタ基礎コンクリートの中へ埋め込んだ後、ベタ基礎コンクリート18の上面に複数の通り芯墨20を線引きし、通り芯墨20の内側に通り芯墨20に平行して枠体の芯墨21を線引きし、通り芯墨20の直角方向にも他の通り芯墨20を線引きし、この通り芯墨20の内側に通り芯墨20に平行して枠体の芯墨21を線引きし、上部の枠体10をベタ基礎コンクリート18の上面に配置する。
【００２３】
そして、ベタ基礎コンクリート18の上面に下部の枠体1の複数のアンカーボルト3が突出している先端に上部の枠体10のボルト挿通孔15を挿嵌し、上部の枠体10の十字形の縦板体13の上端に水準器を交互に載せて複数の蝶ネジ16を回して上部の枠体10を上げ下げして上部の枠体10の前後左右の高さを調節しながら、上部の枠体10の上下方向の水平度を確認し、ベタ基礎コンクリート18の上面の双方の枠体の芯墨21に上部の枠体10の刻線14（縦板体の中心）を合わせ、枠体の芯墨21に直角方向の他の枠体の芯墨21に上部の枠体10の他の刻線（縦板体の中心）を合わせて上部の枠体10を設定し、上部の枠体10の内側の複数箇所にラッパ口付配水管53を配設し、上部の枠体10の内側及び外側に無収縮モルタルを詰め、上部の枠体10の内側は縦の枠11の周囲の枠の高さに合わせて無収縮モルタル17を水平に均し、後に上部の枠体10の上部に免震装置50（交換手段を有する転がり免震装置）を戴置し、該免震装置50の下部プレート51に設けた複数のボルト挿通孔52に、アンカーボルト3を挿嵌して二重ナット3aの締結手段で締結して免震装置を戴設したものである。
【００２４】
上部の枠体10に免震装置50（1）を戴設し、免震装置50（1）の下部プレート51（10）に有する複数の排水孔（22）と、上部の枠体10の内側に設けた複数のラッパ口付配水管53の位置を重ね合わせて床下浸水時に免震装置50（1）内に溜まった水を外部に排水することができる。
【産業上の利用可能性】
【００２５】
従来の免震装置にはメンテナンスの折りに免震装置を取外して交換ができ、時には分解して内部の部品の交換ができるものが少なく、また、床下浸水時に免震装置の中に溜まった水を排水する装置のものもがなく、本免震装置の中には以上の機能が備わっており、従って価格も安く設定ができので、ユーザーの期待に副える精度の高い免震装置の取付方法である。
【図面の簡単な説明】
【００２６】
【図１】図1はこの発明の免震装置の戴設台の下部の枠体と上部の枠体の取付方法を示す斜視図である。
【図２】図2は下部の枠体の平面図である。
【図３】図3は下部の枠体の側面図である。
【図４】図4は図5のＡ−Ａ線の縦断面図である。
【図５】図5は上部の枠体の平面図である。
【図６】図6は免震装置の戴設台に免震装置を戴設した状態の図2のA−A線及び図5のA−A線の縦断面図である。
【図７】図7は建物の基礎の上面全体に複数の免震装置を配設した状態の平面図である。
【符号の説明】
【００２７】
１  下部の枠体
2  平枠
3  アンカーボルト
3a 二重ナット
4  十字形の平板体
5  十字形の縦板体
6  刻線（平板体の中心）
7  モルタル
8  枠体の芯墨
10  上部の枠体
11  縦の枠
12  十字形の平板体
13  十字形の縦板体
14  刻線（縦板体の中心）
15  ボルト挿通孔
16  蝶ネジ
17  無収縮モルタル
18  ベタ基礎コンクリート
19  均しコンクリート
20  通り芯墨
21  枠体の芯墨
50  免震装置
51  下部プレート
52  ボルト挿通孔
53  ラッパ口付配水管
【要約】
【課題】
木造建築の基礎に免震装置を配設する際の戴設台を、正確で容易に戴設できる下部の枠体と上部の枠体の取付方法を提供する。
【解決手段】
木造建築の基礎に免震装置50を配設する際の、免震装置50の戴設台及び戴設台の取付方法で、基礎の全面に均しコンクリート19を打設し、該均しコンクリート19の上面に下部の枠体1を正確に容易に取付、均しコンクリート19の上面の所定の高さにベタ基礎コンクリート18を打設し、該ベタ基礎コンクリート18の上面に下部の枠体1のアンカーボルト3が突出した先端に、上部の枠体10を嵌め込み正確に設定した上部の枠体10の上面に免震装置50を載置し、下部の枠体1から伸びているのアンカーボルト3の先端に免震装置50を嵌め込み、二重ナットで締結して設定し、精度が正確で堅牢な戴設台である。
【選択図】  1
【図１】
0003729419.tif 000002
【図２】
0003729419.tif 000003
【図３】
0003729419.tif 000004
【図４】
0003729419.tif 000005
【図５】
0003729419.tif 000006
【図６】
0003729419.tif 000007
【図７】
0003729419.tif 000008